(57)【特許請求の範囲】
【請求項１】
ロール状の記録紙に印字するプリンタ装置において、
前記記録紙を保持するための給紙軸ユニットと、
前記給紙軸ユニットの一方の端部において、前記給紙軸ユニットが回転可能な状態で接続されるアームユニットと、
金属を曲げて形成され、底面部と、前記底面部に対して垂直方向に設けられ、前記記録紙が通る開口部が設けられた正面部と、前記底面部に対して垂直方向に設けられる少なくとも１つの側面部とを有するメインフレームと、
前記正面部の一方の面の側において前記メインフレームに取り付けられ、前記記録紙を挟んで案内する記録紙ガイドユニットと、
前記正面部の他方の面の側に取り付けられ、前記記録紙に印字を行うプリンタメカユニットと、
前記メインフレームの、前記記録紙ガイドユニットが設けられている側に設けられ、前記記録紙への印字及び搬送を制御する制御基板ユニットと、
を有し、
前記給紙軸ユニットに保持される前記記録紙は、前記記録紙ガイドユニットを介して前記正面部に設けられた前記開口部を通り、前記プリンタメカユニットに供給されるものであって、
前記アームユニットは、一方の側が前記側面部に接続され、他方の側に前記給紙軸ユニットが接続されており、
前記給紙軸ユニットの表面には、らせん状の凸部が形成されており、
前記記録紙が供給される際の回転方向に前記給紙軸ユニットを回転させた場合、前記らせん状の凸部は、前記給紙軸ユニットの一方の端部に向かう、らせん状に形成されていることを特徴とするプリンタ装置。
【請求項２】
ロール状の記録紙に印字するプリンタ装置において、
前記記録紙を保持するための給紙軸ユニットと、
前記給紙軸ユニットの一方の端部において、前記給紙軸ユニットが回転可能な状態で接続されるアームユニットと、
金属を曲げて形成され、底面部と、前記底面部に対して垂直方向に設けられ、前記記録紙が通る開口部が設けられた正面部と、前記底面部に対して垂直方向に設けられる少なくとも１つの側面部とを有するメインフレームと、
前記正面部の一方の面の側において前記メインフレームに取り付けられ、前記記録紙を挟んで案内する記録紙ガイドユニットと、
前記正面部の他方の面の側に取り付けられ、前記記録紙に印字を行うプリンタメカユニットと、
前記メインフレームの、前記記録紙ガイドユニットが設けられている側に設けられ、前記記録紙への印字及び搬送を制御する制御基板ユニットと、
を有し、
前記給紙軸ユニットに保持される前記記録紙は、前記記録紙ガイドユニットを介して前記正面部に設けられた前記開口部を通り、前記プリンタメカユニットに供給されるものであって、
前記アームユニットは、一方の側が前記側面部に接続され、他方の側に前記給紙軸ユニットが接続されており、
前記給紙軸ユニットの他方の端部には、ピンまたは突起部が設けられており、
前記記録紙が前記給紙軸ユニットに装着された際には、前記記録紙は、前記アームユニットと、前記ピンまたは前記突起部との間となるように設置されることを特徴とするプリンタ装置。
【請求項３】
前記ピンまたは前記突起部は、バネの一部またはバネに接続されており、
前記記録紙が前記給紙軸ユニットに装着された際には、前記バネの復元力により前記ピンまたは前記突起部はもとの状態に戻るものであることを特徴とする請求項２に記載のプリンタ装置。
【請求項４】
ロール状の記録紙に印字するプリンタ装置において、
前記記録紙を保持するための給紙軸ユニットと、
前記給紙軸ユニットの一方の端部において、前記給紙軸ユニットが回転可能な状態で接続されるアームユニットと、
金属を曲げて形成され、底面部と、前記底面部に対して垂直方向に設けられ、前記記録紙が通る開口部が設けられた正面部と、前記底面部に対して垂直方向に設けられる少なくとも１つの側面部とを有するメインフレームと、
前記正面部の一方の面の側において前記メインフレームに取り付けられ、前記記録紙を挟んで案内する記録紙ガイドユニットと、
前記正面部の他方の面の側に取り付けられ、前記記録紙に印字を行うプリンタメカユニットと、
前記メインフレームの、前記記録紙ガイドユニットが設けられている側に設けられ、前記記録紙への印字及び搬送を制御する制御基板ユニットと、
を有し、
前記給紙軸ユニットに保持される前記記録紙は、前記記録紙ガイドユニットを介して前記正面部に設けられた前記開口部を通り、前記プリンタメカユニットに供給されるものであって、
前記アームユニットは、一方の側が前記側面部に接続され、他方の側に前記給紙軸ユニットが接続されており、
前記給紙軸ユニットの一方の端部よりも、他方の端部の高さが高くなるように、前記アームユニットに接続されていることを特徴とするプリンタ装置。
【請求項５】
前記記録紙に印字するためのプリンタメカユニットを有し、
前記記録紙は、前記給紙軸ユニットが回転することにより、前記プリンタメカユニットに供給されるものであることを特徴とする請求項１または４のいずれかに記載のプリンタ装置。
【請求項６】
前記プリンタメカユニットは、前記記録紙に印字を行なうプリンタユニットと、前記記録紙を切断するカッターユニットとを有しており、
前記プリンタユニットと前記カッターユニットとは分離することができるものであることを特徴とする請求項５に記載のプリンタ装置。
【請求項７】
前記記録紙は感熱紙であって、前記プリンタメカユニットはサーマルヘッドを有していることを特徴とする請求項５または６に記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。
【０００３】
このようなレシート等を発行するプリンタは、記録紙となる感熱紙がロール状に巻かれており、記録紙を搬送しながらサーマルヘッド等により記録紙に印字等を行ない、所定の長さまで記録紙を搬送した後、カッターで所定の長さで記録紙を切断するものである。
【先行技術文献】
【特許文献】
【０００４】
【特許文献１】特開２００３−１９８４５号公報
【特許文献２】特開２００７−１３０８４２号公報
【発明の概要】
【発明が解決しようとする課題】
【０００５】
ところで、このようなプリンタは、記録紙としてロール状に巻かれた感熱紙が用いられており、ロール状に巻かれた記録紙を保持するための給紙軸及びアームを有している。記録紙が装着された給紙軸を保持するための方式としては、アームが１つの片持ちタイプのプリンタ装置とアームが２つの両持ちタイプのプリンタ装置とがある。このうち、片持ちタイプのプリンタ装置は、小型で軽量化することが可能である等の特徴を有している。
【０００６】
しかしながら、片持ちタイプのプリンタ装置では、給紙軸の一方の端部はアームに接続されているが、他方の端部には何も接続されておらず解放されているため、ロール状に巻かれた記録紙が回転することにより、次第に記録紙は給紙軸の他方の端部に移動し、遂には、給紙軸の他方の端部より記録紙が抜け落ちてしまうといった問題点を有している。
【０００７】
このため、給紙軸の他方の端部に、装着された記録紙が給紙軸より抜け落ちないように、抜け落ち防止のための部材を接続する方法があるが、このような部材を設けることにより、部品点数が増えてコストアップにつながり、また、記録紙を装着する際に時間を要するといった新たな問題点が発生してしまう。
【０００８】
本発明は、上記に鑑みてなされたものであり、記録紙を１つのアームにより保持する片持ちタイプのプリンタ装置において、コストアップさせることなくロール状に巻かれた記録紙が給紙軸より抜け落ちない構造のプリンタ装置を提供することを目的とするものである。
【課題を解決するための手段】
【０００９】
本発明は、ロール状の記録紙に印字するプリンタ装置において、前記記録紙を保持するための給紙軸ユニットと、前記給紙軸ユニットの一方の端部において、前記給紙軸ユニットが回転可能な状態で接続されるアームユニットと、金属を曲げて形成され、底面部と、前記底面部に対して垂直方向に設けられ、前記記録紙が通る開口部が設けられた正面部と、前記底面部に対して垂直方向に設けられる少なくとも１つの側面部とを有するメインフレームと、前記正面部の一方の面の側において前記メインフレームに取り付けられ、前記記録紙を挟んで案内する記録紙ガイドユニットと、前記正面部の他方の面の側に取り付けられ、前記記録紙に印字を行うプリンタメカユニットと、前記メインフレームの、前記記録紙ガイドユニットが設けられている側に設けられ、前記記録紙への印字及び搬送を制御する制御基板ユニットと、を有し、前記給紙軸ユニットに保持される前記記録紙は、前記記録紙ガイドユニットを介して前記正面部に設けられた前記開口部を通り、前記プリンタメカユニットに供給されるものであって、前記アームユニットは、一方の側が前記側面部に接続され、他方の側に前記給紙軸ユニットが接続されており、前記給紙軸ユニットの表面には、らせん状の凸部が形成されており、前記記録紙が供給される際の回転方向に前記給紙軸ユニットを回転させた場合、前記らせん状の凸部は、前記給紙軸ユニットの一方の端部に向かう、らせん状に形成されていることを特徴とする。
【００１０】
また、本発明は、ロール状の記録紙に印字するプリンタ装置において、前記記録紙を保持するための給紙軸ユニットと、前記給紙軸ユニットの一方の端部において、前記給紙軸ユニットが回転可能な状態で接続されるアームユニットと、金属を曲げて形成され、底面部と、前記底面部に対して垂直方向に設けられ、前記記録紙が通る開口部が設けられた正面部と、前記底面部に対して垂直方向に設けられる少なくとも１つの側面部とを有するメインフレームと、前記正面部の一方の面の側において前記メインフレームに取り付けられ、前記記録紙を挟んで案内する記録紙ガイドユニットと、前記正面部の他方の面の側に取り付けられ、前記記録紙に印字を行うプリンタメカユニットと、前記メインフレームの、前記記録紙ガイドユニットが設けられている側に設けられ、前記記録紙への印字及び搬送を制御する制御基板ユニットと、を有し、前記給紙軸ユニットに保持される前記記録紙は、前記記録紙ガイドユニットを介して前記正面部に設けられた前記開口部を通り、前記プリンタメカユニットに供給されるものであって、前記アームユニットは、一方の側が前記側面部に接続され、他方の側に前記給紙軸ユニットが接続されており、前記給紙軸ユニットの他方の端部には、ピンまたは突起部が設けられており、前記記録紙が前記給紙軸ユニットに装着された際には、前記記録紙は、前記アームユニットと、前記ピンまたは前記突起部との間となるように設置されることを特徴とする。
【００１１】
また、本発明は、前記ピンまたは前記突起部は、バネの一部またはバネに接続されており、前記記録紙が前記給紙軸ユニットに装着された際には、前記バネの復元力により前記ピンまたは前記突起部はもとの状態に戻るものであることを特徴とする。
【００１２】
また、本発明は、ロール状の記録紙に印字するプリンタ装置において、前記記録紙を保持するための給紙軸ユニットと、前記給紙軸ユニットの一方の端部において、前記給紙軸ユニットが回転可能な状態で接続されるアームユニットと、金属を曲げて形成され、底面部と、前記底面部に対して垂直方向に設けられ、前記記録紙が通る開口部が設けられた正面部と、前記底面部に対して垂直方向に設けられる少なくとも１つの側面部とを有するメインフレームと、前記正面部の一方の面の側において前記メインフレームに取り付けられ、前記記録紙を挟んで案内する記録紙ガイドユニットと、前記正面部の他方の面の側に取り付けられ、前記記録紙に印字を行うプリンタメカユニットと、前記メインフレームの、前記記録紙ガイドユニットが設けられている側に設けられ、前記記録紙への印字及び搬送を制御する制御基板ユニットと、を有し、前記給紙軸ユニットに保持される前記記録紙は、前記記録紙ガイドユニットを介して前記正面部に設けられた前記開口部を通り、前記プリンタメカユニットに供給されるものであって、前記アームユニットは、一方の側が前記側面部に接続され、他方の側に前記給紙軸ユニットが接続されており、前記給紙軸ユニットの一方の端部よりも、他方の端部の高さが高くなるように、前記アームユニットに接続されていることを特徴とする。
【００１３】
また、本発明は、前記記録紙に印字するためのプリンタメカユニットを有し、前記記録紙は、前記給紙軸ユニットが回転することにより、前記プリンタメカユニットに供給されるものであることを特徴とする。
【００１４】
また、本発明は、前記プリンタメカユニットは、前記記録紙に印字を行なうプリンタユニットと、前記記録紙を切断するカッターユニットとを有しており、前記プリンタユニットと前記カッターユニットとは分離することができるものであることを特徴とする。
【００１５】
また、本発明は、前記記録紙は感熱紙であって、前記プリンタメカユニットはサーマルヘッドを有していることを特徴とする。
【発明の効果】
【００１６】
本発明によれば、記録紙を１つのアームにより保持する片持ちタイプのプリンタ装置において、コストアップさせることなくロール状に巻かれた記録紙が給紙軸より抜け落ちない構造のプリンタ装置を提供することができる。
【図面の簡単な説明】
【００１７】
【図１】第１の実施の形態におけるプリンタ装置を構成するユニットの説明図
【図２】メインフレームの斜視図
【図３】メインフレームに記録紙ガイドユニットが接続されているものの斜視図
【図４】メインフレームに記録紙ガイドユニット及び制御基板ユニットが接続されているものの斜視図
【図５】記録紙ガイドユニットにおける制御基板ユニットが接続される部分の拡大図
【図６】メインフレームに記録紙ガイドユニット及び制御基板ユニットが接続されているものの上面図
【図７】メインフレームに記録紙ガイドユニット及び制御基板ユニットが接続されているものの上面斜視図
【図８】第１の実施の形態におけるプリンタ装置の構造図
【図９】第１の実施の形態におけるプリンタ装置の斜視図（１）
【図１０】第１の実施の形態におけるプリンタ装置の斜視図（２）
【図１１】記録紙の抜け落ちの説明図（１）
【図１２】第１の実施の形態における給紙軸ユニットの説明図
【図１３】第２の実施の形態におけるプリンタ装置の給紙軸ユニットの説明図
【図１４】図１３の要部拡大図
【図１５】第２の実施の形態におけるプリンタ装置の他の給紙軸ユニットの説明図（１）
【図１６】図１５の要部拡大図
【図１７】第２の実施の形態におけるプリンタ装置の他の給紙軸ユニットの説明図（２）
【図１８】図１７の要部拡大図
【図１９】記録紙の抜け落ちの説明図（２）
【図２０】記録紙の抜け落ちの説明図（３）
【図２１】第３の実施の形態におけるプリンタ装置の説明図
【発明を実施するための形態】
【００１８】
本発明を実施するための形態について、以下に説明する。尚、同じ部材等については、同一の符号を付して説明を省略する。
【００１９】
〔第１の実施の形態〕
（プリンタ装置の構造）
第１の実施の形態におけるプリンタ装置について説明する。本実施の形態におけるプリンタ装置は、プリンタ装置を複数のユニットにより構成したものであり、各々のユニットを交換等することにより、所望の用途に容易に作りかえることができる構造のものである。即ち、通常、プリンタ装置は、複数の部品により構成されているが、用途によって必要な部品が異なるため、プリンタ装置を作り分けることは、製造工程が複雑なものとなり、製造の際に混乱を招きやすい。
【００２０】
本実施の形態におけるプリンタ装置は、機能ごとにユニット化されており、これらのユニットを組み合わせ組み立てることにより、所望のプリンタ装置を作製することができる。即ち、用途に応じて必要となるユニットを取り付けることにより、用途に応じたプリンタ装置を容易に作り分けることができる。また、このように複数のユニットを組み合わせることによりプリンタ装置が構成されているため、故障等が生じた場合においても、故障等の生じているユニットをユニットごと交換することにより、修理等のメンテナンス時間を短くすることができる。これにより、故障等によりプリンタ装置が使用のできない時間を短くすることができ、プリンタ装置の稼働率の低下をできるだけ抑えることができる。
【００２１】
図１に基づき、本実施の形態におけるプリンタ装置について説明する。本実施の形態におけるプリンタ装置は、メインフレーム１０、プリンタメカユニット２０、記録紙ガイドユニット３０、制御基板ユニット４０、アームユニット５０、ニアエンド検出ユニット６０、給紙軸ユニット７０、カバー８０を有している。
【００２２】
メインフレーム１０は、金属等の強度を有する材料により形成されており、記録紙が排紙される正面部１１と、正面部１１に対し略垂直に曲げられることにより形成された側面部１２とを有している。正面部１１には、排出される記録紙が通ることのできる開口部１３が設けられており、記録紙が排紙される際には、正面部１１の一方の面の側から他方の面の側に向かって記録紙が開口部１３内を通る。
【００２３】
プリンタメカユニット２０は、プリンタユニット２１とカッターユニット２２を有しており、カッターユニット２２とプリンタユニット２１とを分離し、容易に取り外すことができる。本実施の形態におけるプリンタ装置では、記録紙としてロール状に巻かれた感熱紙が用いられており、プリンタユニット２１は、記録紙に印字等するための不図示のサーマルヘッド、記録紙を搬送するモータ及びプラテンローラ等を有している。また、カッターユニット２２は、プリンタユニット２１において印字等された記録紙を所定の長さに切断するものであり、不図示の固定刃と可動刃を有しており、可動刃が可動することにより記録紙が切断される。
【００２４】
記録紙ガイドユニット３０は、ロール状の記録紙を挟み込み、メインフレーム１０の開口部１３を通し、プリンタメカユニット２０の印刷ユニット２１に導くためのものである。
【００２５】
制御基板４０は、プリント基板等に電子部品が搭載されているものであり、プリンタメカユニット２０等における記録紙への印字、記録紙の搬送、記録紙の切断等の制御を行なう。
【００２６】
アームユニット５０は、後述する給紙軸ユニット７０に取り付けられたロール状の記録紙を保持するためのものであり、一方向に長く形成されている。長く形成されたアームユニット５０の一方は、メインフレーム１０の側面部１２に接続されており、他方には給紙軸ユニット７０が接続されている。
【００２７】
ニアエンド検出ユニット６０は、ロール状の記録紙の残量を検出するためのものであり、アームユニット５０と給紙軸ユニット７０の間、または、アームユニット５０において、給紙軸ユニット７０と接続される側に接続されている。
【００２８】
給紙軸ユニット７０は、記録紙を保持するためのものであり、ロール状に巻かれた記録紙の中央の開口部分に給紙軸ユニット７０を貫通させて記録紙を保持する。給紙軸ユニット７０は、アームユニット５０に面に対し、給紙軸ユニット７０が略垂直となるように接続されている。
【００２９】
カバー８０は、メインフレーム１０の上部を覆うように設置されるものである。
【００３０】
（メインフレーム）
次に、図２に基づき本実施の形態におけるプリンタ装置のメインフレーム１０について説明する。本実施の形態におけるメインフレーム１０は、上述したように、開口部１３が設けられた正面部１１、側面部１２、側面部１４、底面部１５を有している。側面部１４は正面部１１と接しており、側面部１２が設けられている側とは反対側に設けられており、正面部１１に対し略垂直に曲げることにより形成されている。従って、側面部１２と側面部１４とは略平行となる。底面部１５は、側面部１２、１４及び正面部１１と接している。本実施の形態では、底面部１５と正面部１１とは略垂直となっており、底面部１５と側面部１２、１４とは、各々略垂直となっている。このようにして、側面部１２、１４及び底面部１５は、正面部１１の一方の面の側に設けられている。
【００３１】
このようなメインフレーム１０では、直方体の形状を構成している６面のうち４面に、正面部１１、側面部１２及び１４、底面部１５が形成されているため、残りの２面より各々ユニットをメインフレーム１０等に接続することができる。このため、正面部１１、側面部１２、１４及び底面部１５には、他のユニットを接続するためのネジ穴等が設けられている。
【００３２】
（製造方法）
本実施の形態におけるプリンタ装置は、メインフレーム１０に各々のユニットを接続することにより製造することができる。
【００３３】
最初に、図３に示すように、メインフレーム１０の底面部１５に記録紙ガイドユニット３０を接続する。記録紙ガイドユニット３０は、底面部１５にネジ留めすることにより接続されており、記録紙が記録紙ガイドユニット３０の上部ガイド部３１と下部ガイド部３６との間より入り、更には、メインフレーム１０の一方の面の側の開口部１３に入るように接続される。
【００３４】
次に、図４に示すように、制御基板ユニット４０を記録紙ガイドユニット３０に接続する。具体的には、図５に示すように、記録紙ガイドユニット３０の上部には、制御基板ユニット４０を設置するための凹状の制御基板固定部４７ａ、４７ｂと凸状の制御基板押え部４７ｃが設けられている。従って、制御基板ユニット４０を取り付ける際には、制御基板ユニット４０を凹状の制御基板固定部４７ａ、４７ｂに嵌め込み、制御基板押え部４７ｃにより制御基板ユニット４０の傾きを押えて、ネジ４８ａによりメインフレーム１０の側面部１４に設けられた接続部４８ｂに固定し接続する。尚、接続部４８ｂは、側面部１４に対し略直角に曲げられており、ネジ４８ａに対応する形状のネジ穴４８ｃが設けられている。
【００３５】
このように形成されたものの上面図を図６に示し、上方向から見た斜視図を図７に示す。図６に示されるように、記録紙ガイドユニット３０は、メインフレーム１０の底面部１５にネジ１９ａ及び１９ｂによりネジ留めされることにより接続されている。
【００３６】
次に、図８に示すように、メインフレーム１０の側面部１２にアームユニット５０を接続する。アームユニット５０は、図１等に示されるように、メインフレーム１０の側面部１２に、アームユニット５０の一方の側をネジ５８ａ及び５８ｂによりネジ留めすることにより固定され接続される。また、アームユニット５０の他方の側には、給紙軸ユニット７０がネジ５８ｃにより、回転可能な状態で接続される。尚、アームユニット５０と給紙軸ユニット７０との間には、ニアエンド検出ユニット６０が設置されている。
【００３７】
更に、メインフレーム１０の正面部１１の他方の面の側に、プリンタメカユニット２０を接続する。プリンタメカユニット２０は、メインフレーム１０の正面部１１の他方の側に、図１等に示されるネジ２８ａ及び２８ｂによりネジ留めすることにより固定され接続される。
【００３８】
このように各々のユニットを接続することにより製造された本実施の形態におけるプリンタ装置の斜視図を図９及び図１０に示す。尚、図９及び図１０は、給紙軸ユニット７０に記録紙９０が設置されている状態を示すものであり、図９は、前面方向から見た斜視図であり、図１０は、背面方向から見た斜視図である。本実施の形態におけるプリンタ装置では、アームユニット５０が１つであり、給紙軸ユニット７０の両端のうち片方のみがアームユニット５０と接続されているものであり、片持ちタイプのプリンタ装置と称されるものである。
【００３９】
（給紙軸ユニット）
最初に、ロール状に巻かれた記録紙９０が、給紙軸ユニット９７０より抜け落ちてしまうことについて説明する。図１１に示すように、ロール状に巻かれた記録紙９０は、矢印Ａに示す方向に回転することにより、矢印Ｂに示す方向に供給され、プリンタメカユニット２０において印字がなされる。このため記録紙９０は、印字の度に矢印Ａに示す方向に回転する。
【００４０】
片持ちタイプのプリンタ装置の場合では、給紙軸ユニット９７０の一方の端部でアームユニット５０により保持されているため、給紙軸ユニット９７０の一方の端部より抜け落ちることはないが、給紙軸ユニット９７０の他方の端部に記録紙９０の抜け落ちを防ぐ部材が設けられていない場合には、記録紙９０が給紙軸ユニット９７０の他方の端部より抜け落ちてしまう。即ち、給紙軸ユニット７０より矢印Ｃに示す方向に記録紙９０が抜け落ちてしまう。
【００４１】
本実施の形態におけるプリンタ装置は、給紙軸ユニット７０の他方の端部より記録紙９０が抜け落ちなることがないように、給紙軸ユニット７０が形成されている。
【００４２】
次に、図１２に基づき本実施の形態におけるプリンタ装置の給紙軸ユニット７０について説明する。本実施の形態におけるプリンタ装置の給紙軸ユニット７０の表面には、らせん状の凸部７１が形成されている。このらせん状の凸部７１は、矢印Ａに示す方向に回転させた場合に、矢印Ｃに示す方向とは反対の方向、即ち、アームユニット５０と接続されている方向に向かうようならせん状に形成されている。
【００４３】
このような、給紙軸ユニット７０の表面にアームユニット５０に向かうらせん状の凸部７１を形成することにより、記録紙９０が矢印Ａに示す方向に回転し供給される場合に、記録紙９０は、らせん状の凸部７１により、矢印Ｃに示す方向とは反対方向、即ち、アームユニット５０と接続されている方向に向かう。このため、記録紙９０が回転する度に、記録紙９０は、記録紙９０が抜け落ちる方向、即ち矢印Ｃに示す方向とは反対の方向に動かされるため、給紙軸ユニット７０から記録紙９０が抜け落ちることを防ぐことができる。
【００４４】
このように、給紙軸ユニット７０の表面にらせん状の凸部７１を形成することにより、給紙軸ユニット７０からの記録紙９０の抜け落ちをコストアップさせることなく、防ぐことができる。また、給紙軸ユニット７０の他方の端部には、記録紙９０の抜け落ちを防止するための部材等が設ける必要がないため、記録紙９０の交換等を迅速に、また、容易に行なうことができる。
【００４５】
〔第２の実施の形態〕
次に、第２の実施の形態について説明する。本実施の形態は、第１の実施の形態におけるプリンタ装置の給紙軸ユニット７０とは異なる構造の給紙軸ユニットを用いたプリンタ装置である。尚、給紙軸ユニット以外は第１の実施の形態と同様である。
【００４６】
図１３及び図１４に基づき本実施の形態において用いられる給紙軸ユニット１７０について説明する。尚、図１４は、図１３の要部拡大図である。この給紙軸ユニット１７０は、一方の端部はアームユニット５０に回転可能な状態で接続されており、他方の端部にピン１７１とピン１７１を外側方向に押すためのバネ１７２が設けられている。ピン１７１は、給紙軸ユニット１７０に記録紙９０を装着した際に、アームユニット５０と接続されている側とは反対側の記録紙９０の端部９０ａより外側に設けられており、給紙軸ユニット１７０に記録紙９０が装着されている状態では、記録紙９０が給紙軸ユニット１７０より抜け落ちる方向に移動したとしても、ピン１７１により記録紙９０の端部９０ａが押えられ、給紙軸ユニット１７０から記録紙９０が抜け落ちるのを防止する。
【００４７】
また、ピン１７１の先端は丸みを帯びた形状等で形成されており、矢印Ｄに示す方向より記録紙９０を給紙軸ユニット１７０に装着する際に、記録紙９０の中央部分の開口部の内壁によりピン１７１の先端が押され、バネ１７２が縮みピン１７１が給紙軸ユニット１７０の回転軸方向に入り込む。記録紙９０を給紙軸ユニット１７０に完全に装着された状態では、記録紙９０の端部９０ａよりもピン１７１が外側になるため、バネ１７２の復元力によりピン１７１が持ち上げられる。これにより、記録紙９０の端部９０ａがピン１７１により押えられ、記録紙９０が給紙軸ユニット１７０より抜け落ちることを防ぐことができる。
【００４８】
また、図１５及び図１６に示すように、本実施の形態においては、給紙軸ユニット１７０ａの一方の端部はアームユニット５０に回転可能な状態で接続されており、他方の端部に板バネ１７４を設けたものであってもよい。尚、図１６は、図１５の要部拡大図である。板バネ１７４は金属材料等のバネ性を有する材料により形成されており、給紙軸ユニット１７０ａに記録紙９０が装着された状態において、記録紙９０の端部９０ａの外側となる部分に突起部１７４ａが設けられている。
【００４９】
また、突起部１７４ａよりも外側は、給紙軸ユニット１７０ａの中心に向かって傾斜する傾斜部１７４ｂが設けられている。従って、矢印Ｄに示す方向より記録紙９０を給紙軸ユニット１７０ａに装着する際には、最初に、記録紙９０の中央部分の開口部に傾斜部１７４ｂが入り、その後、記録紙９０の中央部分の開口部の内壁により突起部１７４ａが押され、板バネ１７０のバネ性により、突起部１７４ａが給紙軸ユニット１７０ａの中心に向かって変位する。給紙軸ユニット１７０ａに記録紙９０が完全に装着された状態では、記録紙９０の端部９０ａよりも外側に、板バネ１７４の突起部１７４ａが露出し、板バネ１７４の復元力により突起部１７４ａは元の位置に戻る。これにより、記録紙９０の端部９０ａは突起部１７４ａにより押えられ、記録紙９０が給紙軸ユニット１７０ａより抜け落ちることを防ぐことができる。
【００５０】
また、図１７及び図１８に示すように、本実施の形態において、給紙軸ユニット１７０ｂの一方の端部はアームユニット５０に回転可能な状態で接続されており、他方の端部にピン１７６を設けたものであってもよい。尚、図１８は、図１７の要部拡大図である。ピン１７６は、回転軸１７６ａを中心に可動することができるように給紙軸ユニット１７０ｂに取り付けられており、給紙軸ユニット１７０ｂに記録紙９０が装着された状態において、記録紙９０の端部９０ａの外側となる部分に設けられている。尚、ピン１７６には、不図示のバネが接続されており、このバネの復元力によりピン１７６には矢印Ｅに示す方向に力が働くように形成されている。
【００５１】
矢印Ｄに示す方向より記録紙９０を給紙軸ユニット１７０ｂに装着する際には、ピン１７６の向きを給紙軸ユニット１７０ｂの向きと略平行となるようにピン１７６を動かして、記録紙９０を給紙軸ユニット１７０ｂに装着する。給紙軸ユニット１７０ｂに記録紙９０が完全に装着された状態では、記録紙９０の端部９０ａよりも外側に、ピン１７６が露出するため、不図示のバネの復元力によりピン１７６は回転軸１７６ａを中心に動き元の位置に戻る。これにより、記録紙９０の端部９０ａはピン１７６により押えられ、記録紙９０が給紙軸ユニット１７０ｂより抜け落ちることを防ぐことができる。
【００５２】
尚、上記以外の内容については、第１の実施の形態と同様である。
【００５３】
〔第３の実施の形態〕
次に、第３の実施の形態について説明する。本実施の形態は、第１の実施の形態におけるプリンタ装置のアームユニット５０及び給紙軸ユニット７０とは異なる構造のアームユニット及び給紙軸ユニットを用いたプリンタ装置である。
【００５４】
図１９に示されるように、通常は、給紙軸ユニット９７０は、一点鎖線Ｆに示す水平面（重力の働く方向に垂直な面）と、給紙軸ユニット９７０の中心軸９７０ｓとが略平行となるようにアームユニット５０に接続されている。このため、図２０に示すように、記録紙９０を給紙軸ユニット９７０に装着されている状態で、記録紙が回転すると、矢印Ｃに示す方向に、給紙軸ユニット９７０より記録紙９０が抜け落ちてしまう場合がある。
【００５５】
本実施の形態におけるプリンタ装置では、図２１に示すように、給紙軸ユニット２７０が、アームユニット２５０と接続される一方の端部２７０ａよりも他方の端部２７０ｂが高くなるように、アームユニット２５０に接続されている。具体的には、給紙軸ユニット２７０の中心軸２７０ｓと、一点鎖線Ｆに示す水平面に平行な軸２７０ｆとが、アームユニット２５０と給紙軸ユニット２７０との接続部分を中心に上方向に所定の角度θで方向いた状態で接続されている。
【００５６】
このような給紙軸ユニット２７０に記録紙９０を装着することにより、記録紙９０は、アームユニット２５０と給紙軸ユニット２７０とが接続されている一方の端部２７０ａが低くなり、他方の端部２７０ｂが高くなる。このため、記録紙９０にかかる重力の影響により、記録紙９０が回転した場合には、記録紙９０はアームユニット２５０と給紙軸ユニット２７０とが接続されている一方の端部２７０ａの側に向かって押される。
【００５７】
このため、記録紙９０が回転しても、記録紙９０は給紙軸ユニット２７０より抜け落ちにくくなるため、給紙軸ユニット２７０から記録紙９０が抜け落ちることを防止することができる。
【００５８】
尚、上記以外の内容については、第１の実施の形態と同様である。
【００５９】
以上、本発明の実施に係る形態について説明したが、上記内容は、発明の内容を限定するものではない。
【符号の説明】
【００６０】
１０        メインフレーム
１１        正面部
１２        側面部
１３        開口部
１４        側面部
１５        底面部
２０        プリンタメカユニット
２１        プリンタユニット
２２        カッターユニット
３０        記録紙ガイドユニット
４０        制御基板ユニット
５０        アームユニット
６０        ニアエンド検出ユニット
７０        給紙軸ユニット
７１        らせん状の凸部
８０        カバー
【図１】
0005806525.tif 000002
【図２】
0005806525.tif 000003
【図３】
0005806525.tif 000004
【図４】
0005806525.tif 000005
【図５】
0005806525.tif 000006
【図６】
0005806525.tif 000007
【図７】
0005806525.tif 000008
【図８】
0005806525.tif 000009
【図９】
0005806525.tif 000010
【図１０】
0005806525.tif 000011
【図１１】
0005806525.tif 000012
【図１２】
0005806525.tif 000013
【図１３】
0005806525.tif 000014
【図１４】
0005806525.tif 000015
【図１５】
0005806525.tif 000016
【図１６】
0005806525.tif 000017
【図１７】
0005806525.tif 000018
【図１８】
0005806525.tif 000019
【図１９】
0005806525.tif 000020
【図２０】
0005806525.tif 000021
【図２１】
0005806525.tif 000022